(57)【要約】
【課題】  構造が単純で組立が容易であり、埃や異物の侵入を確実に防ぎ、一目で差込口の遮蔽効果が確認できるコンセントの安全カバー用弾力部品を提供すること。
【解決手段】  コンセントの差込口の下方に設置され、垂直移動及び水平移動に伴って差込口を開閉すると共に、揺動した時移動が規制される安全カバーを支持する弾力部品１であって、垂直弾性片１１、水平弾性片１２及び固定片１３を備え、垂直弾性片１１は、安全カバーの下面中間部を支持して揺動の支点となると共に、安全カバーを差込口に向けて上方へ付勢し、水平弾性片１２は、安全カバーを差込口の直下に向けて水平方向に付勢し、固定片１３はコンセントに対して固定される。
【選択図】          図１
0003101341.tif 000002
【実用新案登録請求の範囲】
【請求項１】
コンセントに形成された一対の差込口の下方に垂直移動及び水平移動可能に設置され、垂直移動及び水平移動に伴って前記差込口を開閉すると共に、揺動した時移動が規制される安全カバーを支持する弾力部品であって、垂直弾性片、水平弾性片及び固定片を備え、前記垂直弾性片は、前記安全カバーの下面中間部を支持して揺動の支点となると共に、前記安全カバーを前記差込口に向けて上方へ付勢し、前記水平弾性片は、前記安全カバーを前記差込口の直下に向けて水平方向に付勢し、前記固定片は、前記垂直弾性片及び水平弾性片の前記安全カバーに対する作用範囲の外に設けられて、コンセントに対して固定されることを特徴としたコンセントの安全カバー用弾力部品。
【請求項２】
前記固定片は垂直に起立し、該固定片に、前記コンセントに対して碇着される傾斜片を形成した請求項１に記載のコンセントの安全カバー用弾力部品。
【考案の詳細な説明】
【技術分野】
【０００１】
本考案は、コンセントに移動可能に装着されて、プラグを差し込んでいない時に差込口を遮蔽する安全カバーに、元の位置へ復帰する復元力を与えるコンセントの安全カバー用弾力部品に関する。
【背景技術】
【０００２】
一般的な壁面コンセント及び延長コンセントは、二つ又は三つを一組とする差込口を１乃至複数組有するが、これらの差込口は開放されているので、幼児等が好奇心から異物を差込口へ挿入し、感電する事故が発生しやすい。
また、差込口の内部には銅材料より成る導電端子が設置されており、この導電端子が長期間空気中にさらされると、銅の酸化や埃の体積によって、導電効率に悪影響がある。
従って、従来のコンセントは潜在的な危険性を有しており、理想的といえるものではなかった。
【０００３】
そこで、内部に移動可能なカバー体を設置して、差込口を遮蔽するコンセントが提案されている（特許文献１参照）。
このコンセントは、図７に示すように、コンセントの殻体Ｄ内に幅方向へ移動可能なカバー体Ｄ１を設置して成り、カバー体Ｄ１には、その移動に伴ってそれぞれ差込口Ｄ３の下方を開閉する一対の遮蔽片Ｄ２を設けてある。カバー体Ｄ１は、遮蔽片Ｄ２が差込口Ｄ３を遮蔽する方向に付勢されている。
プラグＢの刃Ｂ１を差込口Ｄ３に挿入すると、左右の遮蔽片Ｄ２の斜面が刃Ｂ１の先端で均等に押圧されて移動し、カバー体Ｄ１全体が幅方向に移動して刃Ｂ１の通過を許容するので、プラグＢを完全に差し込んで、刃Ｂ１の先端と差込口Ｄ３の奥に設置された導電片Ｄ４とを接続させることができる。
【０００４】
一方、図８に示すように、一方の差込口Ｄ３へ異物Ｃを差し込むと、異物Ｃがカバー体Ｄ１の一方の遮蔽片Ｄ２のみに作用するので、カバー体Ｄ１は梃子のように回転して他方の遮蔽片Ｄ２が上方へ持ち上げられ、このため、カバー体Ｄ１は幅方向へ移動することができず、差込口Ｄ３は遮蔽されたままとなって、異物Ｃはそれ以上進入することができない。
ところが、このものは、カバー体Ｄ１を垂直に下方へ移動させることができず、幅方向への移動のみが可能なため、遮蔽片Ｄ２を差込口Ｄ３へ挿入して幅方向への移動を規制してしまうことができない。即ち、常態では遮蔽片Ｄ２が差込口Ｄ３の下方を遮蔽している。このため、埃等がコンセント内部へ侵入するのを完全に防ぐことができず、外観からも差込口Ｄ３の遮蔽効果がはっきりしない。
【０００５】
【特許文献１】米国特許第６５３７０８８号明細書
【考案の開示】
【考案が解決しようとする課題】
【０００６】
本考案が解決しようとする課題は、安全カバーに水平方向及び垂直方向の復元性を与えると共に、安全カバーをその中間部において揺動可能に支持し、構造が単純で組立が容易であり、コンセント内部への埃の侵入を確実に防ぐことができ、一目で差込口の遮蔽効果が確認できるコンセントの安全カバー用弾力部品を提供することにある。
【課題を解決するための手段】
【０００７】
本考案のコンセントの安全カバー用弾力部品は、コンセントに形成された一対の差込口の下方に垂直移動及び水平移動可能に設置され、垂直移動及び水平移動に伴って前記差込口を開閉すると共に、揺動した時移動が規制される安全カバーを支持する弾力部品であって、垂直弾性片、水平弾性片及び固定片を備え、前記垂直弾性片は、前記安全カバーの下面中間部を支持して揺動の支点となると共に、前記安全カバーを前記差込口に向けて上方へ付勢し、前記水平弾性片は、前記安全カバーを前記差込口の直下に向けて水平方向に付勢し、前記固定片は、前記垂直弾性片及び水平弾性片の前記安全カバーに対する作用範囲の外に設けられて、コンセントに対して固定される。
前記固定片は垂直に起立し、該固定片に、前記コンセントに対して碇着される傾斜片を形成しても良い。
【考案の効果】
【０００８】
請求項１に係る考案によれば、安全カバーを垂直方向及び水平方向に移動させてコンセントの差込口を開閉するので、常態においては安全カバーで差込口を完全に遮蔽することが可能で、埃等の侵入を確実に防ぐと共に、一目で差込口に対する遮蔽効果を確認でき、一方の差込口に異物が挿入された場合には、安全カバーが揺動して水平移動が規制されるため、異物の侵入を防止することができる。
また、１個の弾力部品によって安全カバーを支持すると共に、垂直方向及び水平方向に付勢するので、構造が簡単で容易に組立ることができる。
請求項２に係る考案によれば、弾力部品をコンセントに対して強固に取り付けることができる。
【考案を実施するための最良の形態】
【０００９】
以下、本考案の実施例を図面に基づいて詳細に説明する。
図１に示すように、本考案の弾力部品１は、弾力性を有する金属板より成り、垂直弾性片１１、水平弾性片１２及び固定片１３を備える。
垂直弾性片１１は、弾力部品１の底部を構成すると共に、その幅方向一端部を緩やかな円弧状に上方へ湾曲させ、先端部を前後に分岐して一対の支点部１１２を形成してある。  支点部１１２は上方に凸に湾曲し、一対の支点部１１２の間には切欠部１１１が形成され、支点部１１２は垂直方向に揺動できるようになっている。
【００１０】
水平弾性片１２は、垂直弾性片１１の底部上方に、その前後方向に亘って略垂直に立設され、水平弾性片１２の一端に形成された固定端部１２１が、垂直弾性片１１の後縁に固定されている。
また、水平弾性片１２は、固定端部１２１から他端部に向かって次第に垂直弾性片１１の支点部１１２へ接近するよう傾斜して延び、水平弾性片１２の他端部には、支点部１１２方向に凸に湾曲した押圧部１２２が形成されている。
さらに、水平弾性片１２の固定端部１２１を除いた部分は垂直弾性片１１から分離し、押圧部１２２が水平方向に揺動できるようになっている。即ち、水平弾性片１２の作用方向は、垂直弾性片１１の作用方向に対して直交している。
【００１１】
固定片１３は、弾力部品１をコンセントに対して固定する部材であり、垂直弾性片１１の他端を略垂直に起立して、支点部１１２及び水平弾性片１２の揺動を阻害しない位置（垂直弾性片１１及び水平弾性片１２の作用範囲の外側）に形成される。
また、固定片１３には、上端から下端に向かって外方へ斜めに張り出すよう切り起こした傾斜片１３１が形成される。
【００１２】
弾性部品１が組み込まれるコンセントは、図２に示すように、外殻体２、内殻体３及び安全カバー４を備える。
外殻体２は、上殻体２１及び下殻体２２を係合して箱形に形成され、上殻体２１の天部に一対の差込口２１１を穿設してある。
図２及び図４に示すように、上殻体２１の前後内面の上端には、安全カバー４を前後側から挟む位置決め片２１３が形成される。
また、図２及び図３に示すように、上殻体２１の天部下面の一側寄りにおいて、一方の差込口２１１の外側に臨む位置には、常態における安全カバー４の位置を決める当接片２１４が設けられ、上殻体２１の天部下面の他側寄りには、下端面から上方へ向かうスリットを有する嵌合片２１２が設けられる。
【００１３】
内殻体３は、下殻体２２内に収納されて、上殻体２１の内部へその天部との間に空間５が形成されるように突出している。
また、外殻体２の差込口２１１の直下において、内殻体３の内部空間には一対の導電端子３１が設置され、差込口２１１と対応する位置に、内殻体３の上面から内部空間に達する内差込口３２が形成される。
そして、内殻体３の上面に弾力部品１を、その支点部１１２を上殻体２１の当接片２１４に向けて載置し、弾力部品１の固定片１３を傾斜片１３１と共に嵌合片２１２のスリットに係合して、弾力部品１を固定してある。固定片１３の傾斜片１３１はスリットの内面に碇着されて抜け止めとなるので、弾力部品１は強固に取り付けられて脱落することがない。
【００１４】
安全カバー４は、内殻体３と外殻体２との間に形成された空間５内において、上殻体２１の差込口２１１の下方に、垂直移動及び水平移動可能に設置される。
また、安全カバー４の上面の両側部には、差込口２１１に抜挿可能に係合する一対の突起部４１を設ける。突起部４１の上面は、当接片２１４側が低くなるよう傾斜した斜面４１１となっている。
さらに、嵌合片２１２寄りの突起部４１の内側に隣接した位置において、安全カバー４には挿入口４２が穿設される。
【００１５】
安全カバー４は、空間５の位置決め片２１３、嵌合片２１２及び当接片２１４で囲まれた位置に配置され、安全カバー４の下面中間部が弾力部品１の支点部１１２で支持され、水平弾性片１２が安全カバー４の側面に当接している。
そして、水平弾性片１２が安全カバー４を、当接片２１４に当接して突起部４１が差込口２１１の直下に位置するよう水平方向に付勢し、垂直弾性片１１の支点部１１２が安全カバー４を垂直方向上方へ付勢している。
安全カバー４は、常態では図３及び図４に示すように、上殻体２１の当接片２１４に当接し、突起部４１が差込口２１１に挿入されて、差込口２１１を遮蔽している。
【００１６】
安全カバー４が垂直方向下方へ移動すると、弾力部品１の垂直弾性片１１が変形して、安全カバー４を上方へ押し戻そうとする復元力が得られ、安全カバー４が当接片２１４から遠ざかる方向へ水平移動すると、弾力部品１の水平弾性片１２が変形して、安全カバー４を当接片２１４に向けて押し戻そうとする復元力が得られる。
また、安全カバー４は位置決め片２１３によって移動の際の軌道が制限され、姿勢を変えることなく移動する。
安全カバー４の一方の突起部４１のみに圧力が加わると、垂直弾性片１１の支点部１１２を支点として安全カバー４が揺動する。
【００１７】
図５に示すように、プラグ６の刃６１を一対の差込口２１１に挿入すると、一対の突起部４１が同時に下方へ押されて差込口２１１から抜けだし、安全カバー４が垂直弾性片１１の付勢に抗して、これを変形させながら下方へ移動する。
そして、プラグ６の刃６１と突起部４１上端の斜面４１１とが相対的に滑動して水平方向の推力が生まれ、安全カバー４は、水平弾性片１２の付勢に抗して、これを変形させながら固定片１３に接近するよう水平方向へ移動する。
最終的に、突起部４１が完全に差込口２１１から外れた位置へ移動すると、プラグ６の刃６１は、安全カバー４の挿入口４２及び内殻体３の内差込口３２を通して導電端子３１内に挿入され、導通状態となる。
【００１８】
図６に示すように、一方の差込口２１１に異物が挿入されると、一方の突起部４１のみが異物によって下方へ押されるので、安全カバー４は垂直弾性片１１の支点部１１２によって支持された個所を中心に揺動し、他方の突起部４１は上方へ押し上げられて差込口２１１に挿入された状態を維持する。
従って、安全カバー４は水平方向に移動することができず、異物が侵入した差込口２１１の下方は突起部４１で遮られるため、異物は内差込口３２を通過して導電端子３１に達することができない。
【００１９】
なお、弾力部品１の垂直弾性片１１、水平弾性片１２及び固定片１３は、それぞれ単独に成形してから、溶接、リベット、嵌合等の適宜手段によって一体化しても良い。
また、垂直弾性片１１、水平弾性片１２及び固定片１３の形状は、同等の機能を果たすものであれば適宜変更することができる。
【図面の簡単な説明】
【００２０】
【図１】本考案の実施例を示すコンセントの安全カバー用弾力部品の斜視図。
【図２】本考案に係るコンセントの分解斜視図。
【図３】本考案に係るコンセントの常態における縦断面図。
【図４】本考案に係るコンセントの常態における横断面図。
【図５】本考案に係るコンセントのプラグ差込時における縦断面図。
【図６】本考案に係るコンセントの異物侵入時における縦断面図。
【図７】従来のコンセントのプラグ差込時における縦断面図。
【図８】従来のコンセントの異物侵入時における縦断面図。
【符号の説明】
【００２１】
１  弾力部品
１１  垂直弾性片
１１１  切欠部
１１２  支点部
１２  水平弾性片
１２１  固定端部
１２２  押圧部
１３  固定片
１３１  傾斜片
２  外殻体
２１  上殻体
２１１  差込口
２１２  嵌合片
２１３  位置決め片
２１４  当接片
３  内殻体
３１  導電端子
３２  内差込口
４  安全カバー
４１  突起部
４１１  斜面
４２  挿入口
５  空間
６  プラグ
６１  刃
【図１】
0003101341.tif 000003
【図２】
0003101341.tif 000004
【図３】
0003101341.tif 000005
【図４】
0003101341.tif 000006
【図５】
0003101341.tif 000007
【図６】
0003101341.tif 000008
【図７】
0003101341.tif 000009
【図８】
0003101341.tif 000010